(57)【特許請求の範囲】
【請求項１】
上板（１）に人体の肘又は前腕を受けるパッド（５）を設け、該パッド（５）はパッド固定機構（３２）で上板（１）の水平方向に移動固定可能に取着されることを特徴とする訓練用キッチンユニット。
【請求項２】
パッド（５）を着脱させる着脱具（１３）を設けたことを特徴とする請求項１記載の訓練用キッチンユニット。
【請求項３】
上板（１）上に水栓（１７）を設け、該水栓（１７）を移動固定可能に取着する水栓固定機構（２０）を設けたことを特徴とする請求項１又は２記載の訓練用キッチンユニット。
【請求項４】
上板（１）上に水栓（１７）を設け、該水栓（１７）の上流側に電磁弁（２９）又はモーターバルブ（３０）でなる電動流通制御器（２５）を連結し、上板（１）、上板（１）を支持する台（３）、又は遠隔操作箱（２７）に、前記電動流通制御器（２５）を制御するスイッチ（２８）を取着したことを特徴とする請求項１乃至３のいずれか１項に記載の訓練用キッチンユニット。
【発明の詳細な説明】
【０００１】
【産業上の利用分野】
本発明は、リハビリテーションの一つの日常動作訓練に提供される訓練用キッチンユニットに関する。
【０００２】
【従来の技術】
従来技術に特開平４−９０７１４号公報があり、該公報には、ワークトップと、バックガードと、透光材と、照明装置とからなる厨房装置が開示されている。
【０００３】
【発明が解決しようとする課題】
従来技術には装置を使用する運動機能に障害を持つ者（＝以下被訓練者という）が装置を使用した時に生ずる苦痛を、除去するための構成は設けられていない。又、被訓練者が装置を、楽に能率良く使用できるような工夫はなされていない。
【０００４】
即ち、例えば車椅子に乗った被訓練者は、通常、健常者に比して上体が低く、肘又は前腕を上板に当てて炊事を行なうが、この時、肘又は前腕の接触部が痛く、炊事作業等を行ないにくい。
又、水栓を操作するに手が届きにくい場合もあり、その場合水栓開閉操作を行ないにくく、不都合である。
本発明の目的は、上記不都合な点を解決したものであり、炊事等に関する日常動作訓練を楽に行なえる訓練用キッチンユニットを提供することにある。
【０００５】
【課題を解決するための手段】
即ち本発明は、上板（１）に人体の肘又は前腕を受けるパッド（５）を設け、該パッド（５）はパッド固定機構（３２）で上板（１）の水平方向に移動固定可能に取着されることを特徴とする訓練用キッチンユニットである。前記パッド（５）を着脱させる着脱具（１３）を設ける。又、上板（１）上に水栓（１７）を設け、該水栓（１７）を移動固定可能に取着する水栓固定機構（２０）を設ける。又、上板（１）上に水栓（１７）を設け、該水栓（１７）の上流側に電磁弁（２９）又はモーターバルブ（３０）でなる電動流通制御器（２５）を連結し、上板（１）、上板（１）を支持する台（３）、又は遠隔操作箱（２７）に、前記電動流通制御器（２５）を制御するスイッチ（２８）を取着する。
【０００６】
【作用】
被訓練者は前腕又は肘を上板１に設けられるパッド５に当てて炊事作業を行ない、該パッド５を着脱具１３で着脱する。又、パッド固定機構３２はパッド５を上板１上に移動固定可能にする。
水栓固定機構２０は上板１上に設けられた水栓１７を移動固定可能にする。
水栓１７の上流側に連結した電磁弁２９又はモーターバルブ３０でなる電動流通制御器２５で水の吐出・停止・流量調節等を行ない、上板１、上板１を支持する台３、又は遠隔操作箱２７に設けられるスイッチ２８で電磁弁２９又はモーターバルブ３０を開閉制御する。
【０００７】
【実施例】
本発明の実施例は、作業用平面である上板１と、上板１の一部に凹状に設けられる洗い部２と、上板１を支持する台３とからなるキッチンユニット４の該上板１に、被訓練者が肘及び前腕等を当てるパッド５が設けられてなる。
前記台３は中央に空間３１を有する門形に形成され、左右の脚６は伸縮可能に構成されたものである。
【０００８】
図４に示すパッド５は、横部９に縦部１０を接続して逆Ｌ字形に形成された適宜幅を有する緩衝材でなり、詳しくは、パッド５の裏部の硬質材７の上に樹脂又はゴムでなる軟質材８を貼着し、縦部１０において、軟質材８にネジ用凹部１１が形成され、ネジ用凹部１１の中央にあたる位置における硬質材７に、貫通孔１２が穿設される。
【０００９】
パッド５をキッチンユニット４に着脱可能に取着する着脱具１３は、前記ネジ用凹部１１及び貫通孔１２に取着するパッド用ボルト１４と、台３の前面に設けられるパッド用ナット１５からなり、該ナット１５にパッド用ボルト１４が螺着される。
【００１０】
パッド固定機構３２は、前記パッド用ボルト１４と、台３の前面に水平方向に設けたＣ型レール１６と、Ｃ型レール１６内に回動不自在に且つ水平方向に移動自在に収納される前記パッド用ナット１５でなる。
【００１１】
水道水等の湯水を吐出する水栓１７の基部分には、手動バルブ１８を設けた水栓ベース１９が構成され、水栓ベース１９は水栓固定機構２０により上板１上を移動固定可能に取着される。
前記水栓固定機構２０は、洗い部２の周囲における上板１に貫通状に開設したスリット２１と、水栓ベース１９とスリット２１を貫通させて上板１に締め付ける水栓用ボルト２２及び水栓用ナット２３とからなる。
【００１２】
手動バルブ１８より上流側に管路２４を開閉する電動流通制御器２５が設けられ、該制御器２５は台３、上板１又は遠隔操作箱２７に取着されたスイッチ２８で制御される。前記遠隔操作箱２７は電動流通制御器２５に電線２６で接続され、電線２６の届く範囲内で持ち運び自在である。
電動流通制御器２５より上流側は可撓ホース３４で建物の湯水源口に接続される。
【００１３】
電動流通制御器２５の具体的第１例は電磁弁２９であり、電磁弁２９の開閉により水が流通又は遮断される。
具体的第２例はモーターバルブ３０であり、モーターバルブ３０の駆動によりバルブ内通路が全閉から全開までの範囲で調節される。
尚、図２中３３は絶縁トランスである。
【００１４】
実施例の使用に際して、日常動作訓練の目的のもとに、被訓練者は実施例に向かい炊事等を行なう。
車椅子（図示省略）に座った被訓練者の場合には、空間３１に膝を適宜長入れ、肘又は前腕をパッド５に当てて炊事を行なう。肘又は前腕をパッド５に当てて、上体を支えたり又は腕を休めたりする。
パッド５は、肘又は前腕を受けることが可能な幅の狭いものとしてこれを複数個取着する。
【００１５】
前記パッド用ボルト１４をパッド用ナット１５に螺着してパッド５を上板１から台３にわたって覆状に取着し、又、パッド用ボルト１４をパッド用ナット１５から外してパッド５をキッチンユニット４から取り外す。
位置設定の際には、パッド用ボルト１４を僅か緩め、複数個のパッド５を好適な位置に移動し、移動後、パッド用ボルト１４を締めて当該位置にパッド５を固定する。
【００１６】
水栓１７を移動する際には、水栓用ボルト２２を緩め、移動可能状態としておいて好適な位置へ移動する。上板１上において、水栓１７はスリット２１の基端から先端までの間であれば何処へでも移動できる。
水栓用ナット２３は上板１の裏面にあって、水栓ベース１９に不回転状態に保持されている。
【００１７】
水栓１７の水の流通調節は、通常は手動バルブ１８で行なうが、該バルブ１８を操作することが困難な被訓練者は、電磁弁２９をスイッチ２８でオン又はオフ作動させ管路を開閉する。
【００１８】
モーターバルブ３０を設けたものにあっては、モーターバルブ３０をスイッチ２８で駆動させバルブ内通路を開閉調節し、水量を零から最大までの範囲で無段階に調節する。モーターバルブ３０の場合は好適な吐出量になるようにスイッチ２８の操作でバルブ開度を適宜調節することができる。
又、スイッチ２８を遠隔操作箱２７に設けたものにあっては、該遠隔操作箱２７を上板１上の好適位置に置くか、台３の側部の好適使用位置に掛け止めて、スイッチ２８を操作する。
【００１９】
【発明の効果】
本発明は、上板１に被訓練者の肘及び前腕を受けるパッド５が設けられているので、本発明の使用時に、被訓練者は該パッド５に前腕又は肘を当てても、前腕又は肘が痛くなく、不快感を生じることなく、好都合である。又、被訓練者が手及び腕を前方へ突き出し姿勢で作業する際、前腕又は肘をパッド５に当てて一時休めたり、前腕又は肘をパッド５に当てたまま連続的に作業することができ、腕の疲れを減らし、訓練とその訓練に係る作業の能率を上げることができ、好都合である。
【００２０】
本発明は、上板１上にパッド５を移動固定可能に取着するパッド固定機構３２を設けたので、被訓練者の前腕又は肘の位置に合わせた好適な位置にパッド５を移動及び固定でき、幅の狭いパッド５であっても前腕又は肘の緩衝受け部材として十分効果を果たすことができる。故に、パッド５を小さくできて製造コストを低減でき、パッド５が小さいゆえに炊事作業等の障害にもならない。パッド５を適宜に移動すれば上板１、台３及びパッド５自体の掃除も容易となり、好都合である。
【００２１】
本発明は、パッド５を着脱させる着脱具１３を設けたものであるから、健常者が本発明を使用する時、肩が上板よりかなり高い位置にくる高身長の被訓練者が使用する時、又は、被訓練者が訓練の仕上げ段階に至りパッド５を使わなくてもよい時、等のパッド５不要時には、該パッド５を簡単に取り除くことができ、本発明を一般健常者用としても訓練用としても利用でき、好都合である。又、パッド５を取り除けば、上板１、台３及びパッド５のそれぞれの掃除が容易となり、好都合である。
【００２２】
本発明は、上板１上に水栓１７を設け、該水栓１７を移動固定可能に取着する水栓固定機構２０を設けたものであるから、被訓練者の使い易い位置へ水栓１７を移動することできる。故に、水栓１７に手を伸ばすこと及び開閉操作が困難な被訓練者にも使用できるようになり、好都合である。又、水栓１７の移動させて水道水の吐出口を好適な位置にできるので、洗い作業等が容易に行なえ、好都合である。
【００２３】
本発明は、水栓１７に電動流通制御器２５を連結し、該電動流通制御器２５を制御するスイッチ２８が設けられるので、水栓１７を開閉する動作ができない被訓練者でも、スイッチ２８を押す動作によって水栓１７を開閉及び流量調節でき、一層多くの障害態様に対応して本発明装置を日常動作訓練に提供できるものとなり、好都合である。
【図面の簡単な説明】
【図１】本発明実施例の斜視図である。
【図２】本発明実施例の配管及び電気的構成のブロックを示す図である。
【図３】本発明実施例における水栓の取付け部分を示す断面図である。
【図４】本発明実施例におけるパッドの取付け部分を示す断面図である。
【符号の説明】
１    上板
５    パッド
１３    着脱具
１７    水栓
２０    水栓固定機構
２５    電動流通制御器
２７    遠隔操作箱
２９    電磁弁
３０    モーターバルブ
３２    パッド固定機構
【図１】
0003549928.tif 000002
【図２】
0003549928.tif 000003
【図３】
0003549928.tif 000004
【図４】
0003549928.tif 000005